(57)【特許請求の範囲】
【請求項１】
左右の側板と、その側板間の前側に設けられて肉原木の後端が当接する当接板と、前記側板間の後側に設けられる後板と、前記側板間の上側に設けられる天板とを備えた把持部に、先端が前記当接板より前方へ突出して前記当接板に当接した肉原木に上方から突刺可能な爪部材と、前端が前記側板へ回動可能に支持されて前記爪部材と連結され、後端間に架設されたハンドル部の下方向への回動操作によって前記爪部材を下降させる左右一対の握り部とを設けて、前記当接板の前面で前記爪部材によって保持された肉原木を勾玉状刃物方向へ搬送し、該勾玉状刃物により所望厚みの肉片を切断するチョップカッターにおいて、
前記爪部材を、前記側板間に配置される取り付け板上に左右方向へ並設され、肉原木に爪先を突刺する複数の把握爪と、前記取り付け板に軸受を介して保持され、前記複数の把握爪を回動自在に挿通した左右方向の挿通軸と、前記取り付け板上に設けられて各把握爪を突刺方向へ付勢する付勢部材とから形成して、肉原木の凹凸表面に合わせて突刺深さを各把握爪ごとに変えて突刺できるものとし、
前記取り付け板の両端にアーム部を後方へ向けて延設する一方、前記左右の側板に、連結部材の上端を、下端が前後方向へ揺動可能に連結して、前記アーム部の後端と連結部材の下端とを第１連結軸でそれぞれ軸着し、
前記アーム部の中間部位と、前記握り部における前端と中央部との間とを第２連結軸でそれぞれ軸着して、前記ハンドル部を介して前記握り部の後端を押し下げることで、前記握り部の前端を中心に前記爪部材を円弧移動させながら下降させ、前記複数の把握爪を肉原木に垂直に突刺させることを特徴とするチョップカッター。
【請求項２】
前記握り部に、前記握り部の長手方向の何れかへ付勢された係止爪を設ける一方、前記把持部の後方に、前記付勢された係止爪が係合する多数の歯列を列設した歯列板を備え、前記係止爪の係合によって該握り部を任意の回動位置で固定可能とするとともに、前記係止爪に、前記付勢に抗して前記係止爪をスライド操作可能な解除棒の一端を握り部と平行に備えて、前記握り部を握った同じ手で前記解除棒による前記係止爪のスライド操作を可能としたことを特徴とする請求項１記載のチョップカッター。
【発明の詳細な説明】
【技術分野】
【０００１】
本発明は、当接板に当接した肉原木を突刺する爪部材と、該爪部材に連結され基端が回動可能に該当接板側に支持され、肉原木に押圧させる握り部とを備える把持部を有して、該把持部に保持された肉原木を勾玉状刃物方向へ搬送し、該勾玉状刃物により所望厚みの肉片を切断するチョップカッターに関する。
【背景技術】
【０００２】
従来からチョップカッターとして、肉原木に当接する当接板と、当接した肉原木に突刺する爪部材と、該爪部材を回動させて肉原木に押圧させる握り部とを備える把持部を有して、肉原木を勾玉状刃物方向へ搬送し、所望厚みに該勾玉状刃物により切断するチョップカッターが知られている。そして出願人は、特許文献１のように爪部材を固定する枢軸を案内孔に沿って上下方向へ摺動可能に取り付けるとともに、その枢軸に固定された連結部材の先端をハンドルに連結させることにより、ハンドルを引き下げると連結部材を介して爪部材を垂直に引き下げて肉原木に突刺させるチョップカッターを提案した。
【０００３】
【特許文献１】特開２００３−１３６５０８号公報
【発明の開示】
【発明が解決しようとする課題】
【０００４】
しかしながら、上記チョップカッターの爪部材は垂直に下がっていくと肉原木を確実に突刺できる反面、爪部材を固着した枢軸が上下方向へ伸びる案内孔に沿って円滑には摺動しにくく、握り部で原木を押さえにくい場合があった。また枢軸に複数枚の爪部材が固着されているために、肉原木の上面に凹凸があっても爪部材は高い部分で突刺されて低い部分には爪部材が突刺されないことがある。そのため肉原木全体の保持が不安定になり、肉原木から所望厚みに肉切片を勾玉状刃物により切断することが難しい場合がある。さらに爪部材のうち１枚が曲がってしまい突刺しにくくなった場合も枢軸ごと全爪部材を取り換えなければならず、その交換費用が大きくなり利用者の負担になっていた。
【課題を解決するための手段】
【０００５】
本発明は上述の課題に解決するために鑑みてなされたものであり、請求項１に係る発明は、
左右の側板と、その側板間の前側に設けられて肉原木の後端が当接する当接板と、前記側板間の後側に設けられる後板と、前記側板間の上側に設けられる天板とを備えた把持部に、先端が前記当接板より前方へ突出して前記当接板に当接した肉原木に上方から突刺可能な爪部材と、前端が前記側板へ回動可能に支持されて前記爪部材と連結され、後端間に架設されたハンドル部の下方向への回動操作によって前記爪部材を下降させる左右一対の握り部とを設けて、前記当接板の前面で前記爪部材によって保持された肉原木を勾玉状刃物方向へ搬送し、該勾玉状刃物により所望厚みの肉片を切断するチョップカッターにおいて、
前記爪部材を、前記側板間に配置される取り付け板上に左右方向へ並設され、肉原木に爪先を突刺する複数の把握爪と、前記取り付け板に軸受を介して保持され、前記複数の把握爪を回動自在に挿通した左右方向の挿通軸と、前記取り付け板上に設けられて各把握爪を突刺方向へ付勢する付勢部材とから形成して、肉原木の凹凸表面に合わせて突刺深さを各把握爪ごとに変えて突刺できるものとし、
前記取り付け板の両端にアーム部を後方へ向けて延設する一方、前記左右の側板に、連結部材の上端を、下端が前後方向へ揺動可能に連結して、前記アーム部の後端と連結部材の下端とを第１連結軸でそれぞれ軸着し、
前記アーム部の中間部位と、前記握り部における前端と中央部との間とを第２連結軸でそれぞれ軸着して、前記ハンドル部を介して前記握り部の後端を押し下げることで、前記握り部の前端を中心に前記爪部材を円弧移動させながら下降させ、前記複数の把握爪を肉原木に垂直に突刺させることを特徴とするチョップカッターである。
これにより、爪部材は、握り部との連結箇所と、連結部材との連結箇所との２箇所で支持されているので、握り部の押し下げられる回動軌跡に対して円滑に連動して爪部材も押し下げられて、従来のような直線的な案内溝による動きの不具合が生じなくなる。
【０００６】
特にここでは、該爪部材を、前記側板間に配置される取り付け板上に左右方向へ並設され、肉原木に爪先を突刺する複数の把握爪と、前記取り付け板に軸受を介して保持され、前記複数の把握爪を回動自在に挿通した左右方向の挿通軸と、前記取り付け板上に設けられて各把握爪を突刺方向へ付勢する付勢部材とから形成して、肉原木の凹凸表面に合わせて突刺深さを各把握爪ごとに変えて突刺できるものとしている。
これにより従来より多数の把握爪により肉原木を保持できるとともに、組立又は把握爪の交換作業を１個ごとに簡単に行うことができる。
ここで付勢部材としては、引っ張りバネより縮みバネの方が組立を行いやすく、また爪部材に両端を固定して把握爪が肉原木に接触してからバネ付勢力が働くので、肉原木の高さ又は肉原木に接触した高さに関係無く、一定の突刺力が働くので肉原木の突刺部分が凹凸であっても突刺深さがほぼ均一となっていて好適である。また巻きバネを挿通軸に挿通して把握爪と交互に配置すれば同等の付勢力を得ることができる。また把握爪と付勢部材は１対に限定するものではなく、複数の把握爪と１の付勢部材と組とし、それを複数組で備えることも可能である。また複数の把握爪の形状や付勢部材の付勢力は同一とするものではなく、肉原木の平均的外周形状に合わせて１組の把握爪について大きさ・長さ・厚み・回動角度・初期角度等を把握爪の取り付け位置などにより変えることも可能である。また挿通軸も１本に限定するものではなく、複数の短い軸により構成しても良いし、軸中心を長手方向に揃えることなく、肉原木の平均的外周形状に合わせた把握爪の取り付け位置などにより前後・左右・上下に軸の位置を変えることも可能である。
【０００７】
さらに請求項２に係る発明は、前記握り部に、前記握り部の長手方向の何れかへ付勢された係止爪を設ける一方、前記把持部の後方に、前記付勢された係止爪が係合する多数の歯列を列設した歯列板を備え、前記係止爪の係合によって該握り部を任意の回動位置で固定可能とするとともに、前記係止爪に、前記付勢に抗して前記係止爪をスライド操作可能な解除棒の一端を握り部と平行に備えて、前記握り部を握った同じ手で前記解除棒による前記係止爪のスライド操作を可能としたことを特徴とする請求項１記載のチョップカッターである。
これにより、作業者は片手で、握り部を下方向へ押し込めば、作業者の体重を掛けながら肉原木を押さえ込むことが出来る。また係止状態を解除する時には、片手のまま指先で解除棒を引き込む簡単な操作だけで行うことができる。特に冷凍の肉原木を保持するために下向きに握り部を操作するのは、作業者が体重を掛けて押し下げることができるので、腕力の小さい作業者にも操作しやすい装置である。さらに係止状態を解除するために握り部先端から手を離さずに、体重を掛けた掌を握り部先端に置けば、自由な指先で解除棒を操作できるので安全に肉原木を外すことができる。
ここで、係止爪と歯列板との組について、係止爪の付勢方向は握り部の長手方向のどちらでも構わない。また係止爪を握り部に摺動させ、握り部に回動させた解除棒を係止爪に連結しているが、例えばハンドル部が歯列板に接近している場合、係止爪と解除棒とを一体に形成し、解除棒の回動範囲で係止爪が係止できる構成も可能である。
【発明の効果】
【０００８】
詳述したように請求項１に係る本発明によれば、把握爪を有する取り付け板の両端にアーム部を後方へ向けて延設する一方、左右の側板に、連結部材の上端を、下端が前後方向へ揺動可能に連結して、アーム部の後端と連結部材の下端とを第１連結軸でそれぞれ軸着し、アーム部の中間部位と、握り部における前端と中央部との間とを第２連結軸でそれぞれ軸着する構成となっている。よって、該握り部を押し下げて該爪部材を肉原木に突刺させると、該爪部材が刃物側への搬送方向に対し直交方向へ移動して肉原木に垂直に突刺される。これにより、従来のような直線的な案内溝による動きの不具合が生じなくなり、握り部の押し下げられる回動軌跡に対して円滑に連動して爪部材も押し下げられる。
【０００９】
また、爪部材を、側板間に配置される取り付け板上に左右方向へ並設され、肉原木に爪先を突刺する複数の把握爪と、取り付け板に軸受を介して保持され、複数の把握爪を回動自在に挿通した左右方向の挿通軸と、取り付け板上に設けられて各把握爪を突刺方向へ付勢する付勢部材とから形成して、肉原木の凹凸表面に合わせて突刺深さを各把握爪ごとに変えて突刺できるものとしている。よって、従来より多数の把握爪により肉原木を保持できるので組立又は把握爪の交換作業を１個ごとに簡単に行うことができる。
【００１０】
更に、請求項２に係る発明は、前記握り部に、前記握り部の長手方向の何れかへ付勢された係止爪を設ける一方、前記把持部の後方に、前記付勢された係止爪が係合する多数の歯列を列設した歯列板を備え、前記係止爪の係合によって該握り部を任意の回動位置で固定可能とするとともに、前記係止爪に、前記付勢に抗して前記係止爪をスライド操作可能な解除棒の一端を握り部と平行に備えて、前記握り部を握った同じ手で前記解除棒による前記係止爪のスライド操作を可能としたから、作業者は、片手で握り部を下方向へ押し込めば、作業者の体重を掛けながら肉原木を押さえ込むことが出来るとともに、従来のように両手で別々に解除作業することなく、片手のまま解除作業ができる。
【発明を実施するための最良の形態】
【００１１】
以下、本発明の実施の形態を添付図面に基づいて説明する。
図１は本発明に係るチョップカッターの概要を示す説明図である。１０は本発明に係るチョップカッターであって、該チョップカッター１０には、回転して肉原木Ｍの端部から所定幅に切り落としていく勾玉状刃物１１と、該刃物１１の横に開口し、肉原木を載置する溝形状の載置台１２と、肉原木の後端を挟持して刃物方向に押し出す把持部１３と、刃物１１により切り落とされた肉片を集め、ベルトコンベヤーなどと連結される取り出し口１４と、設定値を入力できる操作盤１５とを備えている。そして、把持部１３は、肉原木Ｍに当接する当接板２０と、当接した肉原木Ｍに上方から突刺する爪部材２１と、その爪部材２１を回動させて肉原木に押圧させる加圧部としての握り部２２と、凍って固い肉原木Ｍが当たっても内部機構を保護する爪部材カバー２３とを備えている。その把持部１３は、チョップカッター本体に内蔵された搬送部材に連結され、肉原木Ｍを勾玉状刃物１１に接近する方向へ搬送される。そして、チョップカッター１０の回転に同期させて、載置台１２の上に置かれた肉原木Ｍを把持部１３が所望厚み分、取り出し口１４から押し出すことにより、肉原木Ｍから肉片がチョップカッター１０で切り落とされ、ベルトコンベヤ上に回収されていく。勾玉状刃物１１や、載置台１２、取り出し口１４には衛生面と安全面を配慮したカバー１１ａ、１２ａ、１４ａが各々取り付けられ、清掃が行いやすいように、蓋や、カバー自体が大きく開口するための機構が備えられている。
【００１２】
図２はチョップカッター１０の肉原木Ｍを保持する把持部１３の断面図であって、（ａ）は突刺前の待機状態を示し、（ｂ）は突刺状態をそれぞれ示している。また図３は平面における説明図である。図４は、把持部を当接板の反対側から示す説明図であり、図５は同じような方向から肉原木への突刺状態を示す説明図である。
把持部１３は、左右の側板２４，２５と、その側板２４，２５に前後にそれぞれ取り付けられ当接板と兼用される前板２６と、後板２７と、平面図には図示を省力され、チョップカッター本体に内蔵された搬送部に連結される天板２９とで基枠構造を形成している。そして側板２４，２５の下端には、連結されて移動する把持部１３の自重を支え、載置台１２上を回動する車輪３０が取り付けられている。
先端に作業員が手にするハンドル部２２ｂを備えた握り部２２の基端は、側板２４，２５の軸受け２２ａに固定され、常態において上方の位置から下方向へ回動可能に支持されている。一方、先端を鉤状とした爪部材２１の基端は、側板２４，２５に回動可能に支持された連結部材３１の先端と回動可能に第１連結軸２１ａで連結されるとともに、その基端と中央部との間で握り部２２と第２連結軸２１ｂで連結されている。これにより、握り部２２が常態の上方位置から下方へ降ろされると、連結された爪部材２１も、降下しつつ後方へ円弧状に移動しながら、連結部材３１にリンクされて前方へ円弧状に回動する。このとき爪部材２１の爪先が降下していく軌跡はほぼ垂直状となっている。そして降下した爪部材２１の爪先に対向するように、前板２６の前端には、肉原木Ｍに下方から突刺する保持歯２６ａが列設されている。
【００１３】
また先端を鉤状とした爪部材２１は、その先端を鉤状に形成して肉原木に爪先を突刺する把握爪４１と、複数の把握爪４１，４１・・を回動自在に挿通した挿通軸４２と、各把握爪４１，４１・・を突刺方向へ付勢する付勢部材としての縮みバネ４３，４３・・とを有している。これにより、凹凸のある肉原木の表面に合わせて突刺深さを各把握爪ごとに変えて突刺できるので、従来のように一部の把握爪だけで肉原木を保持することが無くなり、より多数の把握爪を肉原木に突刺させて確実に肉原木を保持させることができる。また挿通軸４２に回動自在な把握爪４１は、挿通軸４２から外すことで１枚ずつの交換が可能になり、把握爪の交換作業を簡単に行うことができる。把握爪４１，４１・・を回動自在に挿通した挿通軸４２の両端は、爪部材２１の取り付け板４４にボルト付けされた軸受により保持されているので、ボルトを外して軸受から簡単に挿通軸４２を外すことができる。
把握爪４１の、挿通軸４２に対して鉤状部と反対側にある基端部は、取り付け板４４にボルト付けされた縮みバネ４３の先端に取り付けられ、常態において鉤状部の方向へ付勢されて、把握爪４１の先端が取り付け板４４に接触して回り止めとなっている。そして把握爪４１が肉原木に突刺されると、縮みバネ４３の付勢力に抗して突刺深さがそれぞれ調整されていく。
１つの挿通軸４２は、１対の挿通爪４１と付勢部材を８組を挿通可能に取り付け、両端と中央付近で軸受けにより取り付け板４４に固定されている。取り付け板４４の両端から後方へ延設されたそれぞれのアーム部５６，５６は、側板２４，２５に軸受２１ｂで回動可能に取り付けられている。補強板５７は取り付け板４４とアーム部５６との構造的強度を高めている。
【００１４】
把持部１３の後方には、円弧状に多数の係止歯を突設した歯列板５１が取り付けられる一方、この歯列板５１に係止する係止爪５２は握り部２２に取り付けられている。係止爪５２は、２個の案内突起５３ａ，５３ｂにより握り部２２の長手方向へ摺動可能に取り付けられ、係止爪５２の後端と案内突起５３ａとにバネ５４が張設されて常態において係止爪５２の先端が歯列板５１に付勢されて係止状態となる。そしてハンドル部２２ｂの前方で作業者の指が掛かりやすい箇所に解除棒５５が握り部２２に回動自在に取り付けられ、解除棒５５は係止爪５２に連結されているので、ハンドル部２２ｂの前方で作業者の指を解除棒５５に掛けて握りこむと、解除棒５５が回動して係止爪５２を歯列板５１から後退させて係止状態を解除させることができる。これにより、ハンドル部２２ｂを握った作業者は片手で、握り部を下方向へ押し込めば、係止爪５２がラチェットのように、下方向へ移動可能に歯列を傾斜させた歯列板５１の係止歯の上を係止状態を維持しつつ移動して肉原木を押さえ込むことが出来る。また係止状態を解除する時には、片手のまま指先で解除棒５５を引き込む簡単な操作だけで行うことができる。冷凍の肉原木を保持するために下向きに握り部を操作するのは、作業者が体重を掛けて押し下げることができるので、腕力の小さい作業者にも操作しやすい装置である。さらに係止状態を解除するためにハンドル部から手を離さずに、体重を掛けた掌をハンドル部に置けば、自由な指先で解除棒を操作できるので安全に肉原木を外すことができる。
なお本発明は上記実施例に限定されるものではなく本発明の要旨を変更しない範囲で他の実施例も含まれる。
図６は、肉原木に爪先を突刺する把握爪の変更構造である。爪部材６１を挿通させる案内筒体６２と、その案内筒体６２に取り付けられ、爪部材６１を突刺方向へ付勢させる付勢部材６３とがある。そして付勢部材の取り付け位置は、バネの付勢方向の違いにより案内筒体の両側それぞれに取り付けることができる。（ａ）の付勢部材６３は縮みバネであって案内筒体６２の下側に取り付けられ、（ｂ）の付勢部材６３は伸展バネであって案内筒体６２の上側に取り付けられている。（ｃ）は爪部材６１を案内筒体６２に直接挿通させ、案内筒体６２の下側に取り付けられている。（ｄ）の付勢部材６３はエアーシリンダであって、案内筒体６２の上側に取り付けられている。
【図面の簡単な説明】
【００１５】
【図１】本発明に係るチョップカッターの概要を示す説明図である。
【図２】把持部の説明図である。
【図３】把持部の平面を示す説明図である。
【図４】把持部を当接板の反対側から示す説明図である。
【図５】肉原木への突刺状態を示す説明図である。
【図６】把握爪の変更例を示す説明図である。
【符号の説明】
【００１６】
１０・・チョップカッター、１１・・勾玉状刃物、１２・・載置台、１３・・把持部、１４・・取り出し口、１１ａ，１２ａ，１４ａ・・カバー、１５・・操作盤、２０・・当接板、２１・・爪部材、２１ａ・・第１連結軸、２１ｂ・・第２連結軸、２２・・握り部、２２ａ・・軸受け、２２ｂ・・ハンドル部、２３・・爪部材カバー、２４，２５・・側板、２６・・前板、２６ａ・・保持歯、２７・・後板、２９・・天板、３０・・車輪、３１・・連結部材、４１・・把握爪、４２・・挿通軸、４３・・縮みバネ、４４・・取り付け板、５１・・歯列板、５２・・係止爪、５３・・案内突起、５４・・バネ、５５・・解除棒、５６・・アーム部、５７・・補強板、６１・・爪部材、６２・・案内筒体、６３・・付勢部材、Ｍ・・肉原木。
【図１】
0004778706.tif 000002
【図２】
0004778706.tif 000003
【図３】
0004778706.tif 000004
【図４】
0004778706.tif 000005
【図５】
0004778706.tif 000006
【図６】
0004778706.tif 000007